(57)【特許請求の範囲】
【請求項１】
ゴーグルレンズを三枚の内・中・外レンズ板により構成し、内・中レンズ板相互間及び中・外レンズ板相互間の内部空間を断熱層としてあり、内レンズ板が顔面に接近するゴーグルであって、中レンズ板に貫通孔を形成すると共に内・外レンズ板のうち少なくとも一方に通気孔を形成し、前記通気孔を、水分の通過を阻止し且つ空気の通過を許容する水分侵入阻止手段で塞いであることを特徴とするゴーグル。
【請求項２】
中レンズ板に貫通孔を形成すると共に内レンズ板に通気孔を形成し、前記通気孔を、水分の通過を阻止し且つ空気の通過を許容する水分侵入阻止手段で塞いであることを特徴とする請求項１記載のゴーグル。
【請求項３】
内・外レンズ板にそれぞれ通気孔を形成し、前記通気孔を、水分の通過を阻止し且つ空気の通過を許容する水分侵入阻止手段で塞いであることを特徴とする請求項１記載のゴーグル。
【請求項４】
隣合うレンズ板相互間距離は、それぞれ１．６〜２．４ｍｍに設定してあることを特徴とする請求項１乃至３のいずれかに記載のゴーグル。
【請求項５】
隣合うレンズ板相互間距離は、それぞれ２ｍｍに設定してあることを特徴とする請求項４記載のゴーグル。
【請求項６】
内・中レンズ板相互間及び中・外レンズ板相互間にそれぞれ間隔保持枠を介在させてあり、前記内・中・外レンズ板と間隔保持枠との接触面相互は接着されていることを特徴とする請求項１乃至５のいずれかに記載のスキー用ゴーグル。
【請求項７】
貫通孔及び通気孔は、視界の邪魔にならない位置に形成されていることを特徴とする請求項１又は２記載のゴーグル。
【請求項８】
貫通孔は、視界から外れた位置に形成されていることを特徴とする請求項１又は２記載のゴーグル。
【請求項９】
水分侵入阻止手段は水分の通過を阻止し且つ空気の通過を許容する撥水性通気シートであって、この撥水性通気シートは通気性を持ったシート状の通気性基材に連続気孔性多孔質材を貼着したものであることを特徴とする請求項３又は８記載のゴーグル。
【発明の詳細な説明】
【０００１】
【発明の属する技術分野】
この発明は、ゴーグル、特にスキーやスノーボートをするときに使用するゴーグルに関するものである。
【０００２】
【従来の技術】
この種のゴーグルは非常な寒冷下で使用されるため、使用中、特に滑走を停止した際に、スキーヤーの体温、発汗作用等によってゴーグルレンズの内面に曇りが発生し、視界不良による事故を招くおそれがあった。
【０００３】
このようなゴーグルレンズの曇りを防止するため、従来から次の▲１▼▲２▼に示すような対策が講じられている。
▲１▼  ゴーグルレンズの内面に化学的に防曇処理を施す方法。
【０００４】
この方法を採用した場合、ゴーグルレンズの表面温度が０℃程度までは一応の防曇効果を奏するが、表面温度が０℃以下となる環境の下ではレンズ板の内面側も温度がマイナスとなって前記レンズ板内面に付着した水滴が氷結してしまい、十分な防曇効果を発揮することができなかった。
▲２▼  ゴーグルレンズを二枚の内・外レンズ板により構成し、この内・外レンズ板相互間に断熱層を形成する方法。
【０００５】
この方法を採用した場合、ゴーグルレンズの表面温度が０℃以下であっても断熱層の存在によってゴーグルレンズの内面に曇りが直ちに発生することはなく、したがって外側のレンズ板の表面温度が０℃以下の環境でも防曇効果を得ることができる。しかしながら、今日のスキー競技等における運動量は一段と上がっていることからスキーヤーの体温上昇、発汗作用等が非常に激しくなっており、よって、さらに厳しい防曇効果が要求されている。
【０００６】
【発明が解決しようとする課題】
そこで、この発明では、ゴーグルレンズの表面温度が０℃以下であってもゴーグルレンズ内面に水滴が氷結しにくく且つ非常に優れた防曇効果を有するゴーグルを提供することを課題する。
【０００７】
【課題を解決するための手段】
（請求項１記載の発明）
この発明のゴーグルは、ゴーグルレンズを三枚の内・中・外レンズ板により構成し、内・中レンズ板相互間及び中・外レンズ板相互間の内部空間を断熱層としてあるゴーグルであって、中レンズ板に貫通孔を形成すると共に内・外レンズ板のうち少なくとも一方に通気孔を形成し、前記通気孔を、水分の通過を阻止し且つ空気の通過を許容する水分侵入阻止手段で塞いである。
（請求項２記載の発明）
この発明のゴーグルは、上記請求項１記載の発明に関し、中レンズ板に貫通孔を形成すると共に内レンズ板に通気孔を形成し、前記通気孔を、水分の通過を阻止し且つ空気の通過を許容する水分侵入阻止手段で塞いである。
（請求項３記載の発明）
この発明のゴーグルは、上記請求項１記載の発明に関し、内・外レンズ板にそれぞれ通気孔を形成し、前記通気孔を、水分の通過を阻止し且つ空気の通過を許容する水分侵入阻止手段で塞いである。
（請求項４記載の発明）
この発明のゴーグルは、上記請求項１乃至３のいずれかに記載の発明に関し、隣合うレンズ板相互間距離は、それぞれ１．６〜２．４ｍｍに設定してある。
（請求項５記載の発明）
この発明のゴーグルは、上記請求項４記載の発明に関し、隣合うレンズ板相互間距離は、それぞれ２ｍｍに設定してある。
（請求項６記載の発明）
この発明のゴーグルは、上記請求項１乃至５のいずれかに記載の発明に関し、内・中レンズ板相互間及び中・外レンズ板相互間にそれぞれ間隔保持枠を介在させてあり、前記内・中・外レンズ板と間隔保持枠との接触面相互は接着されている。
（請求項７記載の発明）
この発明のゴーグルは、上記請求項１又は２記載の発明に関し、貫通孔及び通気孔は、視界の邪魔にならない位置に形成されている。
また、上記請求項３記載の発明に関し、通気孔は、視界の邪魔にならない位置に形成することもできる。
（請求項８記載の発明）
この発明のゴーグルは、上記請求項１又は２記載の発明に関し、貫通孔は、視界から外れた位置に形成されている。
（請求項９記載の発明）
この発明のゴーグルは、上記請求項３又は８記載の発明に関し、水分侵入阻止手段は水分の通過を阻止し且つ空気の通過を許容する撥水性通気シートであって、この撥水性通気シートは通気性を持ったシート状の通気性基材に連続気孔性多孔質材を貼着したものである。
【０００８】
なお、上記した発明のゴーグルの機能については以下の発明の実施の形態の欄で説明する。
【０００９】
【発明の実施の形態】
以下、この発明を実施形態として示した図面に従って説明する。
（実施形態１）
図１はスキー用のゴーグルＧの斜視図である、図５は前記ゴーグルＧに使用されているゴーグルレンズ３を内レンズ板30側から見た図である。
【００１０】
このゴーグルＧは、図１や図２に示すように、ゴーグル枠１と、ゴーグル枠１に連結された伸縮弾性バンド２と、ゴーグル枠１に着脱自在に嵌着されたゴーグルレンズ３と、ゴーグルレンズ３に付設された水分侵入阻止手段４とを具備している。
【００１１】
以下に、このゴーグルＧの各構成について詳述する。
〔ゴーグル枠１について〕
ゴーグル枠１は弾性合成樹脂、ゴム等の軟質材から成り、図１や図３に示すように、レンズ嵌込縁10と、顔面当座11と、前記レンズ嵌込縁10と顔面当座11とを連絡する周壁部12とから成り、レンズ嵌込縁10にはゴーグルレンズ３が着脱自在に嵌め込まれている。
【００１２】
顔面当座11には、図２や図３に示すように、その左右部分に伸縮弾性ゴムバンド２を連結するための連結部11ａが穿孔されており、また、顔面との密接を良好なものとするためのスポンジ、モントプレーン等の密接用材11ｂが貼着されている。
【００１３】
周壁部12には、図１〜図３に示すように、その上下部構成壁及び左右部構成壁に孔を設けてベンチレーション部12ａ，12ｂ，12ｃを形成してあり、前記ベンチレーション部12ａ，12ｂ，12ｃを厚みが薄いスポンジ板S1等により閉蓋するようにしてある。なお、ベンチレーション部12ａ，12ｂ，12ｃをスポンジ板S1等により閉蓋してあるのは空気以外の雪やゴミがゴーグル内部に侵入しないようにするためである。
〔伸縮弾性バンド２について〕
伸縮弾性バンド２は、図１に示すように、バンド主体20，20は伸縮自在に構成したものを使用しており、上記連結部11ａ，11ａに取り付けたバンド主体20，20相互をバックル21を介して結合できるようにしてある。
〔ゴーグルレンズ３について〕
ゴーグルレンズ３は、図３や図５に示すように、透明又は着色プラスチック製の三枚の内・中・外レンズ板30, 31, 32と、前記内・中・外レンズ板30, 31, 32のうち隣り合うレンズ板の周縁間にそれぞれ介在させた間隔保持枠33，34とから構成されており、前記間隔保持枠33，34とこれらを挟み込むレンズ板とを両面テープにより接着してある。ここで、このゴーグルレンズ３では、内・中レンズ板30, 31相互間距離及び中・外レンズ板31, 32相互間距離をそれぞれ２ｍｍに設定してあり、内・中レンズ板30, 31相互間及び中・外レンズ板31, 32相互間の内部空間を断熱層Ｄとしてある。また、内・中・外レンズ板30, 31, 32はそれぞれ０．６ｍｍ程度に設定してある。
【００１４】
内レンズ30板は、図３や図５に示すように、上縁に二つの凹み部30ａを有する形状としてあり、顔面との対向面には防曇処理を施してある。
【００１５】
中レンズ板31は、図３や図５に示すように、上記内レンズ板30とほぼ同じ形状としてあるが、二つの凹み部30ａを有していない分だけ内レンズ板30よりも大きくなっており、この大きくした部分にベンチレーション部３ａを構成する孔31ａを形成してある。なお、この中レンズ板31には、両面テープによる接着性を確保するため両面とも未処理としてある。
【００１６】
外レンズ板32は、図３や図５に示すように、上記中レンズ板31よりも一回り大きい形状としてあると共に上記孔31ａと対向する部分にベンチレーション部３ａを構成する孔32ａを形成してあり、その外周縁をレンズ嵌込縁10への嵌り込み部分としてある。なお、この外レンズ板32の外側には紫外線がほぼカットされるように所謂ＵＶコート又はハードコートを施してある。
【００１７】
上記した凹み部30ａ，30ａに相当する中レンズ板31部分と外レンズ板32部分との間にはスポンジ板S2を挟み込ませてある。理由はスポンジ板S1を施した場合と同様である。
【００１８】
また、このゴーグルレンズ３では、図４や図５に示すように、中レンズ板31における視界から外れた外縁付近に貫通孔h1を形成すると共に、内レンズ板30における貫通孔h1と対向する部分に通気孔h2を形成してあり、図４に示すように通気孔h2を水分侵入阻止手段４で塞いである。
〔水分侵入阻止手段４について〕
水分侵入阻止手段４としては、水分の通過を阻止し且つ空気の通過を許容する撥水性通気シートを採用してある。なお、この撥水性通気シートは、ナイロン布等の通気性を持ったシート状の通気性基材に、連続気孔性多孔質材、例えば４フッ化エチレン樹脂繊維層を貼着したものである。この４フッ化エチレン樹脂繊維層は、延伸されて非常に強靱でしなやかな細かい繊維構造のもので、多くの連続気孔を有すると共に強い撥水性を持っており、その平均孔径０．２〜５．０μ、気孔率２５〜９５％、空気流量０．１〜３，０００（４８８inH20 ）cc/sin/in2としてある。
【００１９】
したがって、滑降等により外部気圧が変化した場合、水分侵入阻止手段４である撥水性通気シートを介してゴーグルレンズ３内外の圧力が平衡状態になるので、内・中・外レンズ板30, 31, 32は何ら変形することはなく、視界の歪みを防止できる。
【００２０】
また、外部気圧が上昇した場合においては、撥水性通気シートを介して通気孔h2より外部空気を吸い込むこととなるが、上記の構成の撥水性通気シートを採用していることから、外部空気に多量の水分が含まれていた場合、或いは通気性基材の外面に雪等が付着していても、ゴーグルレンズ３の内部への水分の侵入は阻止される。したがって、圧力平衡用の通気孔h2があるにもかかわらず、ゴーグルレンズ３内での曇りの発生を防止できる。
〔このゴーグルの機能について〕
図６は、時間の経過に伴うゴーグルレンズの内外温度差を示すグラフである。
【００２１】
このグラフは、人頭モデルを５０℃で１時間加熱し、ゴーグルについては温室に放置し、恒温室から取り出した人頭モデルにすばやくゴーグルを装着して０℃の低温層に入れ、ゴーグルレンズの内外温度を測定したものである。
【００２２】
なお、二枚の内外レンズ板から成る所謂ダブルレンズは、内外レンズ板相互間距離を３ｍｍに設定したものである。
【００２３】
図６のグラフから以下のことが明らかである。
▲１▼  一枚レンズの場合は断熱層を有していないことから、顔面と対向するレンズの内面温度は外気温近くまで早いスピードで低下していき、約３０分経過後には３．５℃まで、１時間経過後には１．９℃まで低下する。ここでこのグラフの注目すべき点は、一枚レンズの場合はレンズの内面温度がゴーグルを低温層に入れて一分以内に急激に低下することである。
▲２▼  二枚レンズの場合は３ｍｍの断熱層を有していることから、顔面と対向するレンズの内面温度は▲１▼に比べて比較的緩やかなスピードで外気温に近づくこととなるが、約３０分経過後には７．５℃まで、１時間経過後には４．５℃まで低下する。ここで、このグラフの注目すべき点は、二枚レンズの場合は断熱層が３ｍｍあるにもかかわらず、レンズの内面温度はゴーグルを低温層に入れて１５分ぐらいまでの間に急激に低下し、３分後には１３℃に、１５分後には９℃になることである。
▲３▼  この実施形態の場合は２ｍｍの断熱層を二つ有していることから、顔面と対向するレンズの内面温度は外気温近くまで緩やかなスピードで低下し、１時間経過後でも７．４℃もある。ここで、このグラフの注目すべき点は、この実施形態の場合はゴーグルレンズ３の内レンズ板30の内面温度はゴーグルを低温層に入れて３分後でも２０℃あり、また１５分後でも１６℃もあることである。
▲４▼  ゴーグルにおいて、ゴーグルレンズの顔面と対向する内面が低温である程、前記内面に曇り及び水滴の氷結は発生しやすいことから、一枚レンズのゴーグルの場合にはゴーグルレンズの内面に曇り及び水滴の氷結が発生しやすいことが明らかであり、また、この実施形態の三枚レンズのゴーグルＧの防曇効果及び水滴の氷結防止効果が二枚レンズのゴーグルのそれらに比べて非常に優れていることが明らかである。
▲５▼  また、レンズ板の厚みを共に０．６ｍｍとした場合、この実施形態のゴーグルレンズ３の厚みは二枚レンズのゴーグルレンズの厚みの約１．４倍（前者が５．８ｍｍ，後者が４．２ｍｍ）となるが、上述した通り防曇効果及び水滴の氷結防止効果が絶大であると共に、内レンズ板30が顔面に接近するのは１．６ｍｍ程度であるからゴーグルＧをした状態でも違和感はない。
（他の実施形態）
上記実施形態１の構成にかえて、中レンズ板31における視界の邪魔にならない位置に貫通孔h1を形成し、内レンズ板30における視界の邪魔にならない位置に通気孔h2を形成すると共に前記通気孔h2を水分侵入阻止手段４で塞いだものとすることができる。この場合、汗等による水分侵入阻止手段４の剥がれを防止するため、水分侵入阻止手段４を内レンズ板30における中レンズ板31と対向する面側に貼着することが好ましい。
【００２４】
上記実施形態１の構成にかえて、内・外レンズ板30, 32における視界の邪魔にならない位置にそれぞれ通気孔h2を形成すると共に前記通気孔h2を水分侵入阻止手段４で塞いだものとすることができる。この場合においても、汗等による水分侵入阻止手段４の剥がれを防止するため、内レンズ板30への水分侵入阻止手段４の貼着は内レンズ板30における中レンズ板31と対向する面側に行うことが好ましい。
【００２５】
上記実施形態１における隣合うレンズ板相互間距離は、それぞれ１．６〜２．４ｍｍの範囲で設定することが可能である。
【００２６】
更に、この発明のゴーグルはスキー用ゴーグルに限定されるものではなく、他の用途のゴーグル、例えば防塵用ゴーグル、寒冷地用ゴーグル等も含まれる。
【００２７】
【発明の効果】
この発明は上記のような構成であるから次の効果を有する。
【００２８】
発明の実施の形態の欄から明らかなように、ゴーグルレンズの表面温度が０℃以下であってもゴーグルレンズ内面に水滴が氷結しにくく且つ非常に優れた防曇効果を有するゴーグルを提供できた。
【図面の簡単な説明】
【図１】この発明の実施形態のゴーグルの斜視図。
【図２】前記ゴーグルの上面図。
【図３】図２のＡ−Ａ断面図。
【図４】前記ゴーグルを構成する水分侵入阻止手段が貼着された部分を縦に断面した断面図。
【図５】前記ゴーグルに使用されているゴーグルレンズを内レンズ板から見た図。
【図６】前記ゴーグルと、一枚レンズ又は二枚レンズのゴーグルとの機能を比較をするためのレンズ内外温度差のグラフ。
【符号の説明】
Ｇ        ゴーグル
Ｄ        断熱層
１        ゴーグル枠
２        伸縮弾性バンド
３        ゴーグルレンズ
４        水分侵入阻止手段
30        内レンズ板
31        中レンズ板
32        外レンズ板
33        間隔保持枠
34        間隔保持枠
h1        貫通孔
h2        通気孔
【図１】
0004344877.tif 000002
【図２】
0004344877.tif 000003
【図３】
0004344877.tif 000004
【図４】
0004344877.tif 000005
【図５】
0004344877.tif 000006
【図６】
0004344877.tif 000007